(57)【要約】      （修正有）【課題】連続梁の床根太支持構造を提供する。【解決手段】壁枠組２３の上面に、複数の端根太部材２１，２１ａ，２２を隣接する端面間に所定の間隔が形成されるように直列状に配置して端根太２を構成し、床根太４を前記端根太部材間の間隙を介して交差させ、前記端根太部材の間隙となる壁枠組の上面を、前記端根太と前記床根太の上面が一致する深さΔｈ’まで削除し、前記床根太は保持金物３で保持され、前記保持金物が前記端根太に、前記床根太と前記端根太の両者の上面を一致して取り付ける。保持金物は、床根太を挟み込む1対の側壁部と前記1対の側壁部を連結する連結部と前記1対の側壁部を端根太に取付ける取り付け部を有し、前記1対の側壁部は床根太の幅と同じ間隔で、内面側の高さは床根太と同じ高さとし、側壁部はその端根太側で且つ壁上枠側となる部分に切欠部を備える。前記端根太が木製で、前記床根太が薄板軽量形鋼とする。【選択図】図２
2005188212.tif 000002
【特許請求の範囲】
【請求項１】
壁枠組または頭つなぎの上面に、複数の端根太部材を隣接する端面間に所定の間隔が形成されるように直列状に配置することにより端根太を構成し、該端根太に対して、床根太を前記端根太部材間の間隙を介して交差するように配した連続梁の床根太支持構造であって、前記端根太部材の間隙となる壁枠組または頭つなぎの上面が、前記端根太と前記床根太の上面が一致する深さまで削除され、前記床根太は保持金物で保持され、前記保持金物が前記端根太に、前記床根太と前記端根太の両者の上面が一致するように取り付けられていることを特徴とする連続梁の床根太支持構造。
【請求項２】
前記保持金物が、床根太をその間に挟み込む1対の側壁部と前記1対の側壁部を連結する連結部と前記1対の側壁部のそれぞれの端部を端根太に取付ける取り付け部を有し、前記1対の側壁部の間隔は前記床根太の幅と同じで、内面側の高さは前記床根太と同じ高さとし、側壁部のそれぞれはその端根太側で且つ壁上枠側となる部分に切欠部を有し、前記切欠部の幅は前記壁上枠の幅から前記端根太の厚みを減じた値以上とし、前記切欠部の高さは前記端根太の高さの寸法公差以上とし、前記1対の側壁部は、前記切欠部を除いた底面側で連結部により連結されている請求項１記載の連続梁の床根太支持構造。
【請求項３】
前記端根太が木製で、前記床根太が薄板軽量形鋼であることを特徴とする請求項１または２記載の連続梁の床根太支持構造。
【発明の詳細な説明】
【技術分野】
【０００１】
本発明は、木造ツーバイフォー住宅における跳ねだし式バルコニーなどの連続梁に用いられる床根太支持構造に関し、特に木製の端根太と薄板軽量形鋼の床根太からなる連続梁の支持構造として好適なものに関する。
【背景技術】
【０００２】
木造ツーバイフォー住宅は、住宅構造として定着したが、構造部材の一部にスチールハウスに用いられる薄板軽量形鋼を適用することが認められるようになった（国土交通省告示第１５４０号、１５４１号平成１３年１０月１５日）。
【０００３】
木造ツーバイフォー住宅において薄板軽量形鋼は床根太として用いられることが認められている。図７は、木造ツーバイフォー住宅の２階部分の床構造を示すもので、薄板軽量形鋼の床根太１００と木製の端根太、側根太とを建築金物で接合して床枠組２００を構成する。
【０００４】
木製構造部材と薄板軽量形鋼とを組み合わせて接合する場合の問題点として、木製構造部材が乾燥が不十分なまま製材され、施工までの期間に乾燥収縮による形状変化、あるいは、経年変化などで寸法が変化し、接合精度が低下することが指摘されている。
【０００５】
特許文献１は経年変化による接合精度の低下を防止する建築金物に関し、床根太が施工当初の寸法精度から経年変化し、形鋼床梁との間に生じる隙間を防止するため、コイルバネにより床根太を形鋼床梁に弾性付勢して密着させる建築金物が記載されている。
【０００６】
また、他の問題点として、日本農林規格の２１０材は乾燥材で２３５ｍｍ±１．５ｍｍの寸法が許容されているが、前記乾燥収縮等の問題もあり、現場に搬入された木製構造部材の寸法のばらつきが大きく、適切な施工精度自体が得られないことが指摘されている。
一方、薄板軽量形鋼の寸法規格は、２３５ＬＣＮの場合、高さに関しては２３５ｍｍ±２．０ｍｍとなっているが、ロール成型の性質上、同一ロットのものでは、部材間の寸法のばらつきはなく、経年変化もないため、木製の端根太と薄板軽量形鋼の床根太の取り付け部で、両者の上面が一致しない場合は、スペーサーを使用する、木製部材の上面を削る、あるいは、木製の端根太の部材を交換するなどの部材組替え作業を行なう。
【特許文献１】実開平７−２６４２０号公報
【発明の開示】
【発明が解決しようとする課題】
【０００７】
しかしながら、部材組替え作業において薄板軽量形鋼の寸法と合致する木製根太材を探す手間は大きく、また搬入後の形状変化の問題もあり、工事日程への影響も大きい。
【０００８】
そこで、本発明は木造ツーバイフォー住宅の跳ねだし式バルコニーなどの連続梁形式において、木製の端根太と薄板軽量形鋼の床根太の寸法が合わず、施工時に両者の上面が一致しない場合であっても、部材組替えなどを行なわずに適切な接合部が得られる床根太支持構造を提供することを目的とする。
【課題を解決するための手段】
【０００９】
本発明の課題は以下の手段により達成できる。
１壁枠組または頭つなぎの上面に、複数の端根太部材を隣接する端面間に所定の間隔が形成されるように直列状に配置することにより端根太を構成し、該端根太に対して、床根太を前記端根太部材間の間隙を介して交差するように配した連続梁の床根太支持構造であって、前記端根太部材の間隙となる壁枠組または頭つなぎの上面が、前記端根太と前記床根太の上面が一致する深さまで削除され、前記床根太は保持金物で保持され、前記保持金物が前記端根太に、前記床根太と前記端根太の両者の上面が一致するように取り付けられていることを特徴とする連続梁の床根太支持構造。
２前記保持金物が、床根太をその間に挟み込む1対の側壁部と前記1対の側壁部を連結する連結部と前記1対の側壁部のそれぞれの端部を端根太に取付ける取り付け部を有し、前記1対の側壁部の間隔は前記床根太の幅と同じで、内面側の高さは前記床根太と同じ高さとし、側壁部のそれぞれはその端根太側で且つ壁上枠側となる部分に切欠部を有し、前記切欠部の幅は前記壁上枠の幅から前記端根太の厚みを減じた値以上とし、前記切欠部の高さは前記端根太の高さの寸法公差以上とし、前記1対の側壁部は、前記切欠部を除いた底面側で連結部により連結されている請求項１記載の連続梁の床根太支持構造。
３前記端根太が木製で、前記床根太が薄板軽量形鋼であることを特徴とする１または２記載の連続梁の床根太支持構造。
【発明の効果】
【００１０】
本発明によれば、端根太の寸法が所定の値でない場合であっても、床根太との上面を一致させることができるので、木製の端根太と薄板軽量形鋼の床根太を組み合わせても接合精度の高い連続梁が得られる。
【発明を実施するための最良の形態】
【００１１】
以下、本発明を、木造ツーバイフォー住宅における適用箇所を説明しながら、図面を用いて詳細に説明する。
【００１２】
図１は、木造ツーバイフォー住宅の床の一例を説明する概略平面図で、床１は壁枠組２と床根太４で支えられ、跳ねだし式バルコニー１１を備えている。本発明に係る床根太支持構造は、矢印（Ａ）で示される箇所に適用する。
【００１３】
図２は、本発明の一実施形態に係る床根太支持構造を説明する図で、（ａ）は連続梁の床根太支持部を端根太に対して直角方向に切断した断面図（図１のＡ−Ａ´切断部を矢印方向から観察）、（ｂ）は床根太支持部を床根太の取り付け方向から観察した正面図（図１のＢ−Ｂ´切断部を矢印方向から観察，但し、床根太は図から省略）を示す。
【００１４】
図において、２は端根太、２１、２１ａ，２２は端根太部材、２３は壁枠組、２４は壁枠組２３の上面で、削除される部分、３は保持金物、４は床根太、５は保持金物３を端根太部材２２に取りつけるための釘などの接合部材を示す。尚、壁枠組２３は頭つなぎ、端根太部材２１、２１ａ，２２は転び止めとしても良い。
【００１５】
端根太部材２１（２２）を、壁枠組２３の上面で、隣接する端面間で所定の幅の間隙：床根太４の幅と同じ幅Ｗの間隙が形成されるように直列状に配置して端根太２を構成する。床根太４を前記端根太部材２１（２２）間の間隙を介して交差するように配する。
【００１６】
端根太部材２１と端根太部材２１ａの端面間（隔Ｗの間隙）となる壁枠組２３の上面を、少なくとも、端根太部材２１、２１ａの上面と床根太４の上面が一致する深さである端根太の高さの寸法公差以上に削除する（Δｈ´）。施工実績において求められた、床根太の高さから端根太の高さを減じた値の最大値を削除する深さとしても良い。端根太部材２１（２２）に、床根太４を両者の上面が一致するように保持金物３で取り付ける。
【００１７】
図３に、本実施例を用いた連続梁を複数本備えた床構造の部分斜視外観図を示す。このような床構造は図１の跳ねだし式バルコニー１１の連続梁を製作する場合に用いられる（図１の（Ｂ）。）。
【００１８】
本発明によれば、端根太に用いる部材と床根太に用いる部材の、寸法が相違しても、両者の上面を一致させることが可能となる。本発明は寸法公差の大きい木製の端根太と寸法公差の小さい薄板軽量形鋼の床根太を組み合わせる連続梁の場合に特に優れた作用効果が得られる。
【００１９】
本発明で端根太と床根太を接合する保持金物は、床構造の剛性を確保するため、その上面が端根太や床根太の上面と一致し、且つ、床根太が落下しないように床根太を底面側から支持できる構造が好ましい。
【００２０】
ここでは、連続梁形式のバルコニーを例に実施の形態を述べたが、室内の連続梁部分に使用してもよく、また、保持金具３の取り付け位置は、屋外側、室内がわあるいはその両側に取り付けても良い。
【００２１】
図４は好ましい保持金物の一例を示す斜視外観図で、図において３は保持金物、３１、３２は床根太（図では省略）を挟み込んで、固定するための側壁部、３３は保持金物３を端根太に取りつけるための取り付け部、３４は側壁部３１、３２を連結する連結部、３５は床根太を側壁部３１、３２に固定するための釘やネジを取りつけるための貫通孔を示す。
図５に保持金物３の上面図（ａ），側面図（ｂ）および正面図（ｃ）を示す。図中の記号は図2と同様にする。
【００２２】
保持金物３は、床根太（図では省略）をその間に挟み込む1対の側壁部３１、３２と前記側壁部を連結する連結部３４と保持金物３を端根太（図示しない）に取りつける取り付け部３３を有する。1対の側壁部３１、３２の間隔ｄは床根太の幅とする。
側壁部３１、３２のその外観形状の高さから連結部３４の肉厚を減じて求まる高さを、後述する取り付け部３３との位置関係を確保することによって、任意に設定できるが、挟み込む床根太と同じ高さとすることが好ましい。側壁部３１、３２は、その端根太側で且つ壁上枠側となる部分が切欠部となっている。
【００２３】
切欠部は、端根太の高さが、床根太の高さより小さい場合に、当該保持金物の下部が、壁枠組上部と干渉しないように設けるもので、その幅ｄ２は壁の厚み（壁上枠２３の幅）から端根太２の厚みを減じた値以上とし、その上限は保持金物として、床根太４を保持できる強度が得られるように適宜設定すれば良く規定しない。
【００２４】
切欠部の高さ（本発明では図５の（ｃ）でｈ２として定義する。）は端根太２の高さの寸法公差以上とする。施工実績において求められた、床根太４の高さから端根太２の高さを減じた値の最大値を切欠部の高さとしても良い。
【００２５】
側壁部３１と３２は、切欠部を除いて、底面側が、連結部３４で連結されている。取り付け部３３は側壁部３１、３２に対して直角に外側を向くように設けられる。側壁部３１、３２と取り付け部３３には釘やネジのための貫通孔３５を設ける。
端根太２の両面に保持金物３を取り付けた場合に、釘やネジが干渉しないように左右の取り付け部３３で貫通孔３５の孔の位置を変え、好ましくは取り付けに用いる釘やネジの直径の３倍以上変える。
【００２６】
取り付け部３３の高さｈ１は端根太２の高さ以下であれば良く特に規定しないが、取り付け部３３の上端から、側壁部３３と３２の下部に設けられる連結部上面までの高さが、挟み込む床根太と同じ高さ以上であることが必要である。側壁部３１、３２の幅ｄ１は切欠部の幅ｄ２より大きく、且つ床根太４を支える強度が確保できる長さとする。
【００２７】
尚、保持金物３は、側壁部３１、３２、取り付け部３３および連結部３４をそれぞれを小片として製作したのち溶接で接合しても、板状部材を折り曲げて一体物として製作してもどちらでも良い。図６に示すように剛性を向上させるため、リブ３６を取りつけることも可能である。保持金物３、リブ３６の材質は特に規定しない。
【図面の簡単な説明】
【００２８】
【図１】木造ツーバイフォー住宅の床の一例の上面図。
【図２】本発明の一実施形態に係る床根太支持構造を示す図で（ａ）は側断面、（ｂ）は正面図を示す。
【図３】本発明の一実施形態に係る床根太支持構造を用いた連続梁を示す図。
【図４】本発明の一実施形態に係る床根太支持構造に好適な保持金物の一例の斜視外観図。
【図５】図４に示した保持金物の（ａ）は上面図、（ｂ）は側面図、（ｃ）は正面図を示す。
【図６】本発明の一実施形態に係る床根太支持構造に好適な保持金物の他の例の斜視外観図。
【図７】木造ツーバイフォー住宅の床構造の一例を示す図。
【符号の説明】
【００２９】
１  木造ツーバイフォー住宅の床
１１  跳ねだし式バルコニー
２  端根太
２１、２２  端根太部材
２３        壁上枠
２４  削除部
３  保持金物
３１、３２  側壁部
３３        取り付け部
３４  連結部
３５  貫通孔
３６  リブ
４  床根太
１００  床根太
２００  床枠組
【図１】
2005188212.tif 000003
【図２】
2005188212.tif 000004
【図３】
2005188212.tif 000005
【図４】
2005188212.tif 000006
【図５】
2005188212.tif 000007
【図６】
2005188212.tif 000008
【図７】
2005188212.tif 000009